【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
複数のキーを操作することによって文字を入力する文字入力装置であって、
前記複数のキーのうち第１キーの操作を検出する第１検出手段と、
前記第１検出手段によって第１キーの操作が検出された後、前記第１キーに隣接する第２キーの操作を検出する第２検出手段と、
前記第２検出手段によって操作が検出された第２キーに基づいて、前記第１キーによって指定される仮名文字と同じ行の仮名文字を確定する第１文字確定手段と、
前記第１文字確定手段によって確定された仮名文字を入力する文字入力手段と
を備えることを特徴とする文字入力装置。
【請求項２】
前記第１キーによって指定される仮名文字に、その仮名文字と同じ行の仮名文字を指定する前記第２キーを対応付けて記憶する文字記憶手段を更に備え、
前記第１文字確定手段は、前記文字記憶手段を参照して、前記第２キーに基づいて、前記第１キーによって指定される仮名文字と同じ行の仮名文字を確定する
ことを特徴とする請求項１に記載の文字入力装置。
【請求項３】
前記第２検出手段は、前記第１検出手段によって第１キーの操作が検出されてから所定時間以内に、第２キーの操作を検出することを特徴とする請求項１に記載の文字入力装置。
【請求項４】
前記第２検出手段は、前記第１キーから前記第２キーまでスライドさせて操作されたことを検出することを特徴とする請求項１に記載の文字入力装置。
【請求項５】
前記第２検出手段によって操作が検出された第２キーに基づいて、前記第１キーによって指定される清音仮名文字に対応する濁音仮名文字、半濁音仮名文字、促音仮名文字及び拗音仮名文字のうち少なくともいずれか１つを確定する第２文字確定手段を更に備え、
前記文字入力手段は、前記第２文字確定手段によって確定された仮名文字を入力する
ことを特徴とする請求項１に記載の文字入力装置。
【請求項６】
文字を入力するために操作する複数のキーのうち第１キーの操作を検出するステップと、
前記第１キーの操作が検出された後、前記第１キーに隣接する第２キーの操作を検出するステップと、
前記操作が検出された第２キーに基づいて、前記第１キーによって指定される仮名文字と同じ行の仮名文字を確定するステップと、
前記確定された仮名文字を入力するステップと
からなることを特徴とする文字入力方法。
【請求項７】
コンピュータに、
文字を入力するために操作する複数のキーのうち第１キーの操作を検出する機能、
前記第１キーの操作が検出された後、前記第１キーに隣接する第２キーの操作を検出する機能、
前記操作が検出された第２キーに基づいて、前記第１キーによって指定される仮名文字と同じ行の仮名文字を確定する機能、
前記確定された仮名文字を入力する機能
を実現させる文字入力プログラム。 
【手続補正２】
【補正対象書類名】明細書
【補正対象項目名】０００７
【補正方法】変更
【補正の内容】
【０００７】
上記課題を解決するために、請求項１に記載の発明は、複数のキーを操作することによって文字を入力する文字入力装置であって、前記複数のキーのうち第１キーの操作を検出する第１検出手段と、前記第１検出手段によって第１キーの操作が検出された後、前記第１キーに隣接する第２キーの操作を検出する第２検出手段と、前記第２検出手段によって操作が検出された第２キーに基づいて、前記第１キーによって指定される仮名文字と同じ行の仮名文字を確定する第１文字確定手段と、前記第１文字確定手段によって確定された仮名文字を入力する文字入力手段とを備えることを特徴とする。 
【手続補正３】
【補正対象書類名】明細書
【補正対象項目名】０００８
【補正方法】変更
【補正の内容】
【０００８】
請求項２に記載の発明は、請求項１に記載の文字入力装置において、前記第１キーによって指定される仮名文字に、その仮名文字と同じ行の仮名文字を指定する前記第２キーを対応付けて記憶する文字記憶手段を更に備え、前記第１文字確定手段は、前記文字記憶手段を参照して、前記第２キーに基づいて、前記第１キーによって指定される仮名文字と同じ行の仮名文字を確定することを特徴とする。 
【手続補正４】
【補正対象書類名】明細書
【補正対象項目名】０００９
【補正方法】変更
【補正の内容】
【０００９】
請求項３に記載の発明は、請求項１に記載の文字入力装置において、前記第２検出手段は、前記第１検出手段によって第１キーの操作が検出されてから所定時間以内に、第２キーの操作を検出することを特徴とする。 
【手続補正５】
【補正対象書類名】明細書
【補正対象項目名】００１０
【補正方法】変更
【補正の内容】
【００１０】
請求項４に記載の発明は、請求項１に記載の文字入力装置において、前記第２検出手段は、前記第１キーから前記第２キーまでスライドさせて操作されたことを検出することを特徴とする。 
【手続補正６】
【補正対象書類名】明細書
【補正対象項目名】００１１
【補正方法】変更
【補正の内容】
【００１１】
請求項５に記載の発明は、請求項１に記載の文字入力装置において、前記第２検出手段によって操作が検出された第２キーに基づいて、前記第１キーによって指定される清音仮名文字に対応する濁音仮名文字、半濁音仮名文字、促音仮名文字及び拗音仮名文字のうち少なくともいずれか１つを確定する第２文字確定手段を更に備え、前記文字入力手段は、前記第２文字確定手段によって確定された仮名文字を入力することを特徴とする。 
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項６に記載の発明は、文字入力方法において、文字を入力するために操作する複数のキーのうち第１キーの操作を検出するステップと、前記第１キーの操作が検出された後、前記第１キーに隣接する第２キーの操作を検出するステップと、前記操作が検出された第２キーに基づいて、前記第１キーによって指定される仮名文字と同じ行の仮名文字を確定するステップと、前記確定された仮名文字を入力するステップとからなることを特徴とする。 
【手続補正９】
【補正対象書類名】明細書
【補正対象項目名】００１４
【補正方法】変更
【補正の内容】
【００１４】
請求項７に記載の発明は、コンピュータに、文字を入力するために操作する複数のキーのうち第１キーの操作を検出する機能、前記第１キーの操作が検出された後、前記第１キーに隣接する第２キーの操作を検出する機能、前記操作が検出された第２キーに基づいて、前記第１キーによって指定される仮名文字と同じ行の仮名文字を確定する機能、前記確定された仮名文字を入力する機能を実現させる文字入力プログラムであることを特徴とする。 
【手続補正１０】
【補正対象書類名】明細書
【補正対象項目名】００１５
【補正方法】変更
【補正の内容】
【００１５】
本発明によれば、文字入力の操作を容易とし、入力操作の学習がしやすく、疲労感を軽減し且つ高速な文字入力を行うことができる。 
【手続補正１１】
【補正対象書類名】明細書
【補正対象項目名】００１６
【補正方法】変更
【補正の内容】
【００１６】
また、本発明によれば、指を移動させる距離が短くなり、先に入力したキーから隣接するキーに指をスライドさせて入力することもできる。このため、文字入力の操作を更に容易とし、疲労感を軽減し且つ高速な文字入力を行うことができる。 
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】